(57)【要約】【課題】  印刷後に印刷テープ自身によりその印刷表面をラミネート可能な、印刷テープおよびこれを備えたテープカートリッジを提供することを課題とする。【解決手段】  表面に記録面を形成した記録テープ層３３と、記録テープ層３３の裏面に貼着した透明な擬似ラミネート層３７とを備え、記録テープ層３３は、テープの幅方向の略中間位置に形成した表部カット線３４により、一方の略半部に表面を記録面とする印刷記録片３５が形成されると共に他方の略半部に切離し片３６が形成され、擬似ラミネート層３７は、表面側のラミ用粘着剤層３８と裏面側の透明テープ層３９とを有し、切離し片３６を除去し印刷記録片３５の表面に折り込んで貼着することで記録面のラミネートテープとして機能する。【選択図】  図３
2005205633.tif 000002
【特許請求の範囲】
【請求項１】
表面に記録面を形成した記録テープ層と、前記記録テープ層の裏面に貼着した透明な擬似ラミネート層とを備えた印刷テープであって、
前記記録テープ層は、テープの幅方向の略中間位置に形成した表部カット線により、一方の略半部に表面を記録面とする印刷記録片が形成されると共に他方の略半部に切離し片が形成され、
前記擬似ラミネート層は、表面側のラミ用粘着剤層と裏面側の透明テープ層とを有し、
前記擬似ラミネート層の前記切離し片側の略半部は、前記切離し片を除去し前記印刷記録片の表面に折り込んで貼着することで前記記録面のラミネートテープとして機能することを特徴とする印刷テープ。
【請求項２】
前記切離し片に対し前記印刷記録片が、僅かに幅狭に形成されていることを特徴とする請求項１に記載の印刷テープ。
【請求項３】
表面に記録面を形成した記録テープ層と、前記記録テープ層の裏面に貼着した透明な擬似ラミネート層とを備えた印刷テープであって、
前記記録テープ層は、テープの幅方向の略中間位置に形成した表部カット線により、一方の略半部に表面を記録面とする印刷記録片が形成されると共に他方の略半部に切離し片が形成され、
前記擬似ラミネート層は、表側からラミ用粘着剤層、第１透明テープ層、汎用粘着剤層および第２透明テープ層を有し、
前記第２透明テープ層は、テープの幅方向の略中間位置に形成した裏部カット線により、一方の略半部に透明テープ片が形成されると共に他方の略半部に剥離片が形成され、
前記第１透明テープ層の前記切離し片側の略半部および前記透明テープ片は、前記切離し片および前記剥離片を除去し前記印刷記録片の表面に折り込んで貼着することで前記記録面のラミネートテープとして機能することを特徴とする印刷テープ。
【請求項４】
前記剥離片には、操作説明が印刷されていることを特徴とする請求項３に記載の印刷テープ。
【請求項５】
前記切離し片には、操作説明が印刷されていることを特徴とする請求項１ないし４のいずれかに記載の印刷テープ。
【請求項６】
前記ラミ粘着剤層は、テープ平面内において粘着剤塗着部と粘着剤非塗着部とから成り、
前記粘着剤非塗着部は、テープの幅方向両端部の少なくとも一部に形成されていることを特徴とする請求項１ないし５のいずれかに記載の印刷テープ。
【請求項７】
前記汎用粘着剤層は、テープ平面内において粘着剤塗着部と粘着剤非塗着部とから成り、
前記粘着剤非塗着部は、テープの幅方向両端部の少なくとも一部に形成されていることを特徴とする請求項３または４に記載の印刷テープ。
【請求項８】
前記粘着剤非塗着部は、テープの長さ方向に平行であって、少なくともテープ幅方向両端部を含む複数の縦断帯状部位で構成されていることを特徴とする請求項６または７に記載の印刷テープ。
【請求項９】
前記粘着剤非塗着部は、テープの長さ方向に対し傾斜し且つ相互に平行な複数の傾斜帯状部位で構成されていることを特徴とする請求項６または７に記載の印刷テープ。
【請求項１０】
前記粘着剤非塗着部は、テープ幅方向に平行な複数の横断帯状部位で構成されていることを特徴とする請求項６または７に記載の印刷テープ。
【請求項１１】
前記粘着剤塗着部は、分散配置した複数の島状部位で構成されていることを特徴とする請求項６または７に記載の印刷テープ。
【請求項１２】
ロール状に巻回した請求項１ないし１１のいずれかに記載の印刷テープと、
前記印刷テープを繰出し自在に収容したカートリッジケースと、を備えたことを特徴とするテープカートリッジ。
【発明の詳細な説明】
【技術分野】
【０００１】
本発明は、テープ印刷装置に印刷対象物として投入される印刷テープおよびこれを備えたテープカートリッジに関するものである。
【背景技術】
【０００２】
従来のテープカートリッジには、カートリッジケース内に印刷テープおよびインクリボンを繰出し自在に収容したもの（例えば、特許文献１参照）と、カートリッジケース内に印刷テープ、ラミネートテープおよびインクリボンを繰出し自在に収容したもの（例えば、特許文献２参照）とがある。これら２種類のテープカートリッジは、それぞれ専用のテープ印刷装置に投入されることで、前者のものでは印刷テープへの印刷とテープカットが行なわれてラベルが作成され、後者のものでは、印刷テープへの印刷とラミネートテープの貼合せとテープカットが行なわれてラミネート済みラベルが作成される。
【特許文献１】特開平１０−２１７５５０号公報
【特許文献２】特開平７−６１１００号公報
【発明の開示】
【発明が解決しようとする課題】
【０００３】
ところで、後者のテープ印刷装置では、ラミネートを省略したテープカートリッジを投入することで、ラミネート無しのラベルを作成可能であるが、前者のテープ印刷装置では、印刷テープとラミネートテープを貼り合わせる機構が無いため、例えラミネートテープを追加収容したテープカートリッジを投入しても、ラミネート済みラベルを作成することは不可能であった。
【０００４】
本発明は上記の問題に鑑み、印刷後に印刷テープ自身により、その印刷表面をラミネート可能な印刷テープおよびこれを備えたテープカートリッジを提供することをその課題としている。
【課題を解決するための手段】
【０００５】
本発明の印刷テープは、表面に記録面を形成した記録テープ層と、記録テープ層の裏面に貼着した透明な擬似ラミネート層とを備えた印刷テープであって、記録テープ層は、テープの幅方向の略中間位置に形成した表部カット線により、一方の略半部に表面を記録面とする印刷記録片が形成されると共に他方の略半部に切離し片が形成され、擬似ラミネート層は、表面側のラミ用粘着剤層と裏面側の透明テープ層とを有し、擬似ラミネート層の切離し片側の略半部は、切離し片を除去し印刷記録片の表面に折り込んで貼着することで記録面のラミネートテープとして機能することを特徴とする。
【０００６】
この構成によれば、記録テープ層表面に印刷後、使用者が、記録テープ層に形成された表部カット線に沿って、記録テープ層の略半部を切り離し、次に、擬似ラミネート層の切離し片側の略半部を、残りの記録テープ層である印刷記録片の表面に折り込むことにより、ラミネート済み印刷テープを作成することができる。この場合、剥離ラミネート層の略半部を記録テープ層の印刷記録片に対し、折り込んで貼着するようにしているので、位置合わせが容易になり、擬似ラミネート層の位置ずれやゆがみが生じることが少なくなる。
【０００７】
この場合、切離し片に対し印刷記録片が、僅かに幅狭に形成されていることが好ましい。
【０００８】
この構成によれば、折り込んだ擬似ラミネート層の一部が印刷記録片からはみ出すため、このはみ出した部分のラミ用粘着剤層により、ラミネート済み印刷テープを、対象物に仮貼着することができる。
【０００９】
本発明の他の印刷テープは、表面に記録面を形成した記録テープ層と、記録テープ層の裏面に貼着した透明な擬似ラミネート層とを備えた印刷テープであって、記録テープ層は、テープの幅方向の略中間位置に形成した表部カット線により、一方の略半部に表面を記録面とする印刷記録片が形成されると共に他方の略半部に切離し片が形成され、擬似ラミネート層は、表側からラミ用粘着剤層、第１透明テープ層、汎用粘着剤層および第２透明テープ層を有し、第２透明テープ層は、テープの幅方向の略中間位置に形成した裏部カット線により、一方の略半部に透明テープ片が形成されると共に他方の略半部に剥離片が形成され、第１透明テープ層の切離し片側の略半部および透明テープ片は、切離し片および剥離片を除去し印刷記録片の表面に折り込んで貼着することで記録面のラミネートテープとして機能することを特徴とする。
【００１０】
この構成によれば、記録テープ層表面に印刷後、使用者が、記録テープ層に形成された表部カット線に沿って、記録テープ層の略半部である切離し片を切離すと共に、第２透明テープ層に形成された裏部カット線に沿って、第２透明テープ層の略半部である剥離片を切り離した後、第１透明テープ層の切離し片側の略半部と、残りの第２透明テープ層である透明テープ片とを、残りの記録テープ層である印刷記録片の表面に折り込むことにより、ラミネート済印刷テープを作成することができる。また、この状態で記録テープ層の裏面には、汎用粘着剤層が露出しており、この汎用粘着剤層により、通常のテープラベルのようにラミネート済み印刷テープを、対象物に貼付することができる。この場合も、擬似ラミネート層を折り込んで貼着するようにしているため、位置合わせが容易になり、擬似ラミネート層の位置ずれやゆがみが生じることが少なくなる。
【００１１】
この場合、剥離片には、操作説明が印刷されていることが好ましい。
【００１２】
また、これらの場合、切離し片には、操作説明が印刷されていることが好ましい。
【００１３】
この構成によれば、使用者が誤った貼着や切離し操作をすることなく、容易にラミネート済み印刷テープを作成することができる。
【００１４】
また、これらの場合、ラミ粘着剤層は、テープ平面内において粘着剤塗着部と粘着剤非塗着部とから成り、粘着剤非塗着部は、テープの幅方向両端部の少なくとも一部に形成されていることが好ましい。
【００１５】
また、これらの場合、汎用粘着剤層は、テープ平面内において粘着剤塗着部と粘着剤非塗着部とから成り、粘着剤非塗着部は、テープの幅方向両端部の少なくとも一部に形成されていることが好ましい。
【００１６】
また、これらの場合、粘着剤非塗着部は、テープの長さ方向に平行であって、少なくともテープ幅方向両端部を含む複数の縦断帯状部位で構成されていることが好ましい。
【００１７】
また、これらの場合、粘着剤非塗着部は、テープの長さ方向に対し傾斜し且つ相互に平行な複数の傾斜帯状部位で構成されていることが好ましい。
【００１８】
また、これらの場合、粘着剤非塗着部は、テープ幅方向に平行な複数の横断帯状部位で構成されていることが好ましい。
【００１９】
さらに、これらの場合、粘着剤塗着部は、分散配置した複数の島状部位で構成されていることが好ましい。
【００２０】
これらの構成によれば、粘着剤非塗着部を、印刷テープに対するラミネートテープの剥離開始部分として、これを容易に引き剥がすことができる、特に、擬似ラミネート層がＰＥＴ材等の薄手のテープ材で構成されている場合に有用である。
【００２１】
本発明のテープカートリッジは、ロール状に巻回した上記の印刷テープと、印刷テープを繰出し自在に収容したカートリッジケースと、を備えたことを特徴とする。
【００２２】
この構成によれば、上記の印刷テープを収容するテープカートリッジをテープ印刷装置に装着することにより、印刷後に、印刷表面をラミネート可能な印刷テープを提供することができる。
【発明の効果】
【００２３】
以上のように本発明の印刷テープおよびこれを備えたカートリッジによれば、印刷テープ自身により、その印刷表面をラミネート可能に構成されているので、例えばラミネート機能のないテープ印刷装置により、印刷を行なっても、ラミネート済みラベルを得ることができる。
【発明を実施するための最良の形態】
【００２４】
以下、添付図面を参照して、本発明を実施するための最良の形態にかかる印刷テープおよびこれを収容したテープカートリッジについて、また、このテープカートリッジが装着されるテープ印刷装置について詳細に説明する。テープ印刷装置は、テープカートリッジを介して装置内に装着した印刷テープに、所望の文字や図形などを印刷（印字）するとともに、印刷テープの印刷済み部分を所定の長さに切断してラベルを作製するものである。
【００２５】
図１は開蓋状態のテープ印刷装置１の外観斜視図であり、同図に示すようにテープ印刷装置１は、上下２分割の装置ケース２により外殻が形成され、装置ケース２の前部上面には各種入力キー３ａを備えたキーボード３が配置されるとともに、後部上面には開閉蓋４が配設されている。開閉蓋４の内側にはディスプレイ５とテープカートリッジ６を装着するためのカートリッジ装着部７が窪入形成されており、テープカートリッジ６は開閉蓋４を開放した状態でカートリッジ装着部７に着脱される。また、開閉蓋４にはこれを閉止した状態でディスプレイ５を視認するための覗き窓４ａが形成される。
【００２６】
装置ケース２の左側部には、カートリッジ装着部７と装置外部とを連通するテープ排出口８が形成され、このテープ排出口８には、送り出した印刷テープ１０を切断するための図外のテープカッタが臨んでいる。そして、テープ排出口８から印刷済みの印刷テープ１０が送り出されることにより、この印刷テープ１０がテープカッタにより切断される。
【００２７】
一方、カートリッジ装着部７には、ヘッドカバー１１に覆われた発熱素子を有する印刷ヘッド１２と、印刷ヘッド１２に対峙するプラテン駆動軸１３と、後述のインクリボン１８の巻取り駆動軸１４と、後述のテープリール２０の位置決め突起１５とを備えている。また、カートリッジ装着部７の下側には、図示省略したがプラテン駆動軸１３および巻取り駆動軸１４を回転させるテープ送り機構が内蔵される。
【００２８】
図２は上ケースの一部を破断して残したテープカートリッジ６の平面図である。同図に示すように、テープカートリッジ６は、上ケース１６ａと下ケース１６ｂとから成るカートリッジケース１６内に、印刷テープ１０およびインクリボン１８をそれぞれロール状に巻回して収容すると共に、上記の印刷ヘッド１２に対応するプラテンローラ９を収容したものである。また、カートリッジケース１６には、印刷テープ１０を巻回したテープリール２０と、インクリボン１８を巻回したリボン巻出しリール２１と、使用後のインクリボン１８を巻き取るリボン巻取りリール２２とが回転自在に収容されている。
【００２９】
一方、カートリッジケース１６には、プラテンローラ９の近傍に位置して、カートリッジケース１６を上下に貫通する略方形の貫通開口２５が形成されており、テープカートリッジ６をカートリッジ装着部７に装着すると、この貫通開口２５に装置側から印刷ヘッド１２が臨んでプラテンローラ９と対峙する。また、この状態では、装置側からプラテンローラ９およびリボン巻取りリール２２にそれぞれプラテン駆動軸１３および巻取り駆動軸１４が係合する。すなわち、プラテンローラ９およびリボン巻取りリール２２は駆動リールとして機能し、テープリール２０およびリボン巻出しリール２１は従動リールとして機能する。
【００３０】
テープリール２０から巻き出された印刷テープ１０は、テープガイドピン１７に案内されてプラテンローラ６に至り、この部分で印刷されてからカートリッジケース１６の側面に形成したテープ送出口１９から送り出される。一方、リボン巻出しリール２１から巻き出されたインクリボン１８は、第１リボンピン２３および第２リボンピン２４に案内され、プラテンローラ９に至る。ここでインクリボン１８は、印刷テープ１０に重なって印刷に供され、さらに上記の貫通開口２５を形成する開口壁２６に案内されてＵターンし、リボン巻取りリール２２に巻き取られる。この場合、駆動側のプラテンローラ９およびリボン巻取りリール２２は同期して回転するため、印刷テープ１０およびインクリボン１８は同時に走行し、また印刷テープ１０には走行しながら印刷が行われる。そして、テープ送出口１９から送り出された印刷テープ１０は、装置側のテープカッタにより切断され、ラベルとして使用される。
【００３１】
ここで、本発明の第１実施形態にかかる印刷テープの構成について説明する。図３（ａ）に示すように、印刷テープ３１は、表面を記録面とする記録テープ層３３と、記録テープ層３３の裏面に貼着した透明な擬似ラミネート層３７を備えている。記録テープ層３３の表面には、テープ幅方向ほぼ中間の位置に、テープ長さ方向に沿ってカット線３４が入れられており、そのカット線３４により、記録テープ層３３は一方の略半部となる印刷記録片３５と、他方の略半部となる切離し片３６とに切り離し可能に構成されている。切離し片３６には、印刷記録片３５に優先して切離し片３６を切り離す旨の操作説明があらかじめ印刷されている。（図４参照）これにより誤った切離し操作を防ぐことができる。また、擬似ラミネート層３７は、その表面側にラミ用粘着剤層３８を、裏面側に透明テープ層３９を備えている。
【００３２】
記録テープ層３３および透明な擬似ラミネート層３７は、ＰＥＴ（ポリエチレンテレフタレート）材等の薄手のテープ材で構成されている。また記録テープ層３３の表面は、インクののりを良好にすべく、コーティング処理されて記録面を構成している。なお、印刷記録片３５の幅は、切離し片３６の幅に比べてわずかに狭くなるようにしてもよい。これにより、折り込んだ擬似ラミネート層３７の切離し片３６側部分が印刷記録片３５から僅かにはみ出し、ラミネート済み印刷テープ３２を仮に貼り付けることができる。
【００３３】
ところで、印刷記録片３５となる記録テープ層３３のテープ幅方向上半部と、切離し片３６となる下半部とは、材質や構造的にも差異はなく、相互に入れ替えが可能である。すなわち、記録テープ層３３のテープ幅方向上半部を切離し片３６、下半部を印刷記録片３５としてもよい。従って、ラミネート済み印刷テープ３２を仮貼着する際に、テープ上部を接着部とする際には、記録テープ層３３のテープ幅方向上半部を印刷記録片３５、下半部を切離し片３６とし、逆にテープ下部を接着部とする際には、記録テープ層３３のテープ幅方向上半部を切離し片３６、下半部を印刷記録片３５とすればよい。この場合、「ａｂｃｄｅ」の印刷と同時に上記の操作説明を印刷してもよい。さらに、ユーザが入力画面を操作することにより印刷記録片３５、切離し片３６となる略半部分を指定できるような構成にすることも可能である。なお、図示では省略したがテープ幅の異なる複数種の印刷テープが用意されていることは、いうまでもない。
【００３４】
擬似ラミネート層３７に備えられたラミ用粘着剤層３８は、テープ平面内において、粘着剤が塗布された粘着剤塗着部７１と粘着剤が塗布されない粘着剤非塗着部７２とを有しており、粘着剤非塗着部７２はテープの幅方向両端部の少なくとも一部に形成されている。これにより、粘着剤非塗着部７２を剥離開始部分とすれば、容易に擬似ラミネート層３７を引き剥がすことができる。
【００３５】
粘着剤塗着部７１および粘着剤非塗着部７２の形成パターンとして、例えば、粘着剤非塗着部７２が擬似ラミネート層３７から成るテープの長さ方向に平行であって、少なくともテープ幅方向両端部を含む複数の縦断帯状部位で構成されているストライプの形状（図５（ａ）参照）や、粘着剤非塗着部７２がテープ幅方向に平行な複数の横断帯状部位で構成されているストライプの形状、（同図（ｃ）参照）さらに、粘着剤塗着部７１が分散配置した複数の島状部位で構成される水玉模様の形状（同図（ｄ）参照）がある。しかし、上記の粘着剤非塗着部７２がテープ幅方向に平行な複数の横断帯状部位で構成されるパターン（同図（ｃ））では、カットの位置により粘着剤塗着部７１が僅かになってしまうテープが作成されるおそれがある。このような場合には、粘着剤非塗着部７２がテープの長さ方向に対し傾斜し且つ相互に平行な複数の傾斜帯状部位で構成されている縞状の形状（同図（ｂ））にしてもよい。なお、粘着剤塗着部７１および粘着剤非塗着部７２の形成パターンは、上記に限られたものではなく、テープの幅方向両端部の少なくとも一部に形成されていればよい。
【００３６】
第１実施形態の印刷テープ３１を用いて、ラミネート済み印刷テープ３２を作成する作成手順を、図６を参照しながら説明する。同図の印刷テープ３１は、記録テープ層３３の印刷記録片３５の表面に「ａｂｃｄｅ」の文字列が印刷され、かつ、その印刷部分が所望の長さに切断される。ところで、図１に示すようにカートリッジ装着部７の隅部には、カートリッジ検出スイッチ１９が設けられており、テープカートリッジ６を装着すると、印刷テープ１０の種別が検出される。すなわち、テープカートリッジ６を装着すると、第１実施形態の印刷テープ３１であることが検出され、制御部は印刷ヘッド１２を駆動して、記録テープ層３３の略半部すなわち印刷記録片３５に「ａｂｃｄｅ」の印刷を行う。このようにして印刷が為された印刷テープ３１に対し、まず、記録テープ層３３の切離し片３６となる略半部を、擬似ラミネート層３７から引き剥がし、記録テープ層３３の表面に入れられたカット線３４に沿って、切離し片３６を切り離す（同図（ａ）参照）。次に、擬似ラミネート層３７の切離し片３６側部分を、印刷記録片３５の表面に折り込んで、貼り付ける。（同図（ｂ）参照）これにより、印刷記録片３５の表面、すなわち「ａｂｃｄｅ」の文字列が印刷された記録面が、擬似ラミネート層３７によりラミネートされる（同図（ｃ）参照）。また、本実施形態の印刷テープ３１は、擬似ラミネート層３７を折り込んで貼着するようにしているため、位置合わせが容易になり、擬似ラミネート層３７の位置ずれやゆがみが生じることが少なくなる。
【００３７】
また、擬似ラミネート層３７の切離し片３６側部分の折り込み位置を、テープ幅方向上下に移動することで、ラミネート済み印刷テープ３２のテープ幅を僅かに幅広または幅狭に調整することができる。例えば、通常、テープ幅が１２ｍｍの印刷テープ３１においてラミネート済み印刷テープ３２を作成する場合、記録テープ層カット線３４の位置を折り込み位置とすると、テープ幅が６ｍｍのラミネート済み印刷テープ３２が作成できる。一方、折り込み位置を記録テープ層カット線３４から１ｍｍ分テープ幅下方向に移動させて折り込むと、テープ幅が７ｍｍのラミネート済み印刷テープ３２が作成できる。逆に、折り込み位置を記録テープ層カット線３４から１ｍｍ分テープ幅上方向に移動させて折り込み、さらにラミ用粘着剤層３８が露出したままの２ｍｍ部分を、記録テープ層３３の裏面に折り込むと、テープ幅が５ｍｍのラミネート済み印刷テープ３２が作成できる。このように、折り込み位置をテープ幅方向上下に移動することで、ラミネート済み印刷テープ３２のテープ幅を僅かに調整することが可能となり、見栄えよく対象物に貼付できる。なお、記録テープ層３３記録面に、あらかじめ折り込み位置となる箇所に補助線を印刷しておいてもよい。
【００３８】
次に、第１実施形態の印刷テープに対し、さらに裏糊を備えた本発明の第２実施形態にかかる印刷テープ４１の構成について説明する。印刷テープ４１の構成は、図７（ａ）に示すように表面を記録面とする記録テープ層４３と、記録テープ層４３の裏面に貼着した透明な擬似ラミネート層４７を備えている。記録テープ層４３の表面には、テープ幅方向ほぼ中間の位置に、テープ長さ方向に沿ってカット線４４が入れられており、そのカット線により記録テープ層は、一方の略半部となる印刷記録片４５と、他方の略半部となる切離し片４６とに切り離し可能に構成されている。また、擬似ラミネート層４７は、その表面側からラミ用粘着剤層４８、第１透明テープ層４９、汎用粘着剤層５０、第２透明テープ層５１を備えている。第２透明テープ層５１の裏面には、テープ幅方向ほぼ中間の位置に、テープ長さ方向に沿ってカット線５２が入れられており、そのカット線５２により、第２透明テープ５１層が、一方の略半部となる透明テープ片５３と、他方の略半部となる剥離片５４とに切り離し可能に構成されている。
【００３９】
第１実施形態同様、記録テープ層４３および透明な擬似ラミネート層４７は、ＰＥＴ（ポリエチレンテレフタレート）材等の薄手のテープ材で構成されている。また記録テープ層４３の表面は、インクののりを良好にすべく、コーティング処理されて記録面を構成している。また、剥離片５４には、切離し片４６同様、透明テープ片５３に優先して剥離片５４を切り離す旨の操作説明があらかじめ印刷されている。これにより、誤った切り離し操作を防ぐことができる。また、ラミ用粘着剤層４８は、第１実施形態同様に、擬似ラミネート層４７を記録テープ層４３に対する剥離テープとして引き剥がしやすいように、テープ平面内において粘着剤が塗布された粘着剤塗着部７１と粘着剤が塗布されない粘着剤非塗着部７２とを有しており、粘着剤非塗着部７２はテープの幅方向両端部の少なくとも一部に形成されている（図５参照）。さらに、第1実施形態同様に、印刷記録片４５となる記録テープ層４３のテープ幅方向上半部と、切離し片４３となる下半部とは、材質や構造的にも差異はなく、相互に入れ替えが可能である。なお、図示では省略したが、テープ幅の異なる複数種の印刷テープが用意されていることは、いうまでもない。
【００４０】
第２実施形態の印刷テープ４１を用いてラミネート済み印刷テープ４２を作成する作成手順について図８を参照しながら説明する。同図の印刷テープ４１は、第１実施形態同様に、記録テープ層４３の印刷記録片４５の表面に「ａｂｃｄｅ」の文字列が印刷され、所望の長さに切断される。このようにして印刷が為された印刷テープ４１に対し、まず、記録テープ層４３の切離し片４６となる略半部を、擬似ラミネート層４７から引き剥がし、記録テープ層４３の表面に入れられたカット線４４に沿って、切離し片４６を切り離す。（同図（ａ）参照）次に、第１透明テープ層４９の切離し片４６側部分と、透明テープ片５３とを、印刷記録片４５の表面に折り込んで貼り付ける。（同図（ｂ）参照）これにより、印刷記録片４５の表面、すなわち「ａｂｃｄｅ」の文字列が印刷された記録面が、擬似ラミネート層４７によりラミネートされる（同図（ｃ）参照）。この場合も、擬似ラミネート層４７を折り込んで貼着するようにしているため、位置合わせが容易になり、擬似ラミネート層４７の位置ずれやゆがみが生じることが少なくなる。さらに、第２透明テープ層５１の裏面に入れられたカット線５２に沿って剥離片５４を切り離せば、第２透明テープ層５１の裏面に貼着した汎用粘着剤層５０が露出し、この汎用粘着剤層５０により、通常のテープラベルのようにラミネート済み印刷テープ４２を対象物に貼付することができる。この場合も、「ａｂｃｄｅ」の印刷と同時に、上記の操作説明を印刷してもよい。
【図面の簡単な説明】
【００４１】
【図１】本発明の実施形態に係るテープカートリッジが装着されるテープ印刷装置の外観図である。
【図２】実施形態に係るテープカートリッジの平面図である。
【図３】第１実施形態に係る印刷テープの横断断面図である。
【図４】第１ないし第２実施形態に係る切断後の印刷テープの平面図である。
【図５】第１ないし第２実施形態に係る印刷テープの粘着剤塗着部と粘着剤非塗着部を表した平面図である。
【図６】第１実施形態に係る印刷テープを用いてラミネート済み印刷テープを作成する作成手順を表した斜視図である。
【図７】第２実施形態に係る印刷テープの横断断面図である。
【図８】第２実施形態に係る印刷テープを用いてラミネート済み印刷テープを作成する作成手順を表した斜視図である。
【符号の説明】
【００４２】
１０、３１、４１  印刷テープ
３２、４２        ラミネート済み印刷テープ
３３、４３        記録テープ層
３４、４４        記録テープ層カット線
３５、４５        印刷記録片
３６、４６        切離し片
３７、４７        擬似ラミネート層
３８、４８        ラミ用粘着剤層
３９              透明テープ層  
４９              第１透明テープ層
５０              汎用粘着剤層
５１              第２透明テープ層
５２              擬似ラミネート層カット線
５３              透明テープ片
５４              剥離片
７１              粘着剤塗着部
７２              粘着剤非塗着部
【図１】
2005205633.tif 000003
【図２】
2005205633.tif 000004
【図３】
2005205633.tif 000005
【図４】
2005205633.tif 000006
【図５】
2005205633.tif 000007
【図６】
2005205633.tif 000008
【図７】
2005205633.tif 000009
【図８】
2005205633.tif 000010